【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】  変位軸を、互いに平行で且つ偏心した支持軸部と枢支軸部とし、前記枢支軸部の周囲でパワーローラを回転自在に支持し、トラニオンの中間部に形成した支持孔で前記支持軸部を回転自在に支持し、前記支持孔を、底板部を設けた有底の支持孔として前記支持軸部を支持する構造としてなるトロイダル型無段変速機において、前記パワーローラ、前記変位軸および前記トラニオンを一体化して変速機ユニットに組み込むためのトロイダル型無段変速機ユニットの組み立て治具。
【請求項２】  組み立て治具は、前記トラニオンの端部に結合している駆動ロッドに係合可能とされ、該駆動ロッドに係合しているときに、前記支持軸部が支持孔から抜け出ないように前記パワーローラ、前記変位軸および前記トラニオンを一体化して保持する治具本体と、当該治具本体の前記駆動ロッドへの係合状態を保持する治具固定部と、を備えていることを特徴とする請求項１記載のトロイダル型無段変速機ユニットの組み立て治具。
【請求項３】  前記治具本体は、長辺部及び短辺部が互いに直交して略Ｌ字形状をなし、前記短辺部に係合孔が形成されており、この係合孔に前記駆動ロッドが貫通して係合したときに、前記長辺部が前記パワーローラの端面に当接し、前記支持軸部が支持孔から抜け出ないように前記パワーローラ、前記変位軸および前記トラニオンを一体化して保持することを特徴とする請求項２記載のトロイダル型無段変速機ユニットの組み立て治具。
【請求項４】  前記係合孔から前記駆動ロッドを抜く際に、前記パワーローラの端面から突出している部位に前記治具本体の長辺部が接触しないように、該長辺部の所定位置に逃げ部を設けたことを特徴とする請求項３記載のトロイダル型無段変速機ユニットの組み立て治具。
【請求項５】  前記治具本体は、長辺部及び短辺部が互いに直交して略Ｌ字形状をなし、前記短辺部に係合孔が形成されており、この係合孔に前記駆動ロッドが貫通して係合したときに、前記長辺部が前記変位軸の端面に当接し、前記支持軸部が支持孔から抜け出ないように前記パワーローラ、前記変位軸および前記トラニオンを一体化して保持することを特徴とする請求項２記載のトロイダル型無段変速機ユニットの組み立て治具。
【請求項６】  前記治具本体は、長辺部及び短辺部が互いに直交して略Ｌ字形状をなす金属板であり、前記短辺部に係合孔が形成されており、この係合孔に前記駆動ロッドが貫通して係合したときに、前記長辺部が前記パワーローラの端面に弾性変形しながら当接し、該長辺部の弾性復元力によって前記支持軸部が支持孔から抜け出ないように前記パワーローラを前記トラニオン側に押圧することを特徴とする請求項２記載のトロイダル型無段変速機ユニットの組み立て治具。
【請求項７】  前記治具本体は、長辺部及び短辺部が互いに直交して略Ｌ字形状をなす金属板であり、前記短辺部に係合孔が形成されており、この係合孔に前記駆動ロッドが貫通して係合したときに、前記長辺部が前記変位軸の端面に弾性変形しながら当接し、該長辺部の弾性復元力によって前記支持軸部が支持孔から抜け出ないように前記変位軸を前記トラニオン側に押圧することを特徴とする請求項２記載のトロイダル型無段変速機ユニットの組み立て治具。
【請求項８】  前記治具本体の長辺部を、前記パワーローラを挟持する入力側ディスク及び出力側ディスクの間の隙間に入り込むことが可能な薄肉形状としたことを特徴とする請求項３乃至請求項７の何れかに記載のトロイダル型無段変速機ユニットの組み立て治具。
【手続補正２】
【補正対象書類名】明細書
【補正対象項目名】００１６
【補正方法】変更
【補正の内容】
【００１６】
【課題を解決するための手段】
上記目的を達成するために、請求項１記載の発明は、変位軸を、互いに平行で且つ偏心した支持軸部と枢支軸部とし、前記枢支軸部の周囲でパワーローラを回転自在に支持し、トラニオンの中間部に形成した支持孔で前記支持軸部を回転自在に支持し、前記支持孔を、底板部を設けた有底の支持孔として前記支持軸部を支持する構造としてなるトロイダル型無段変速機において、前記パワーローラ、前記変位軸および前記トラニオンを一体化して変速機ユニットに組み込むためのトロイダル型無段変速機ユニットの組み立て治具である。
【手続補正３】
【補正対象書類名】明細書
【補正対象項目名】００１７
【補正方法】変更
【補正の内容】
【００１７】
また、請求項２記載の発明は、請求項１記載のトロイダル型無段変速機ユニットの組み立て治具において、組み立て治具は、前記トラニオンの端部に結合している駆動ロッドに係合可能とされ、該駆動ロッドに係合しているときに、前記支持軸部が支持孔から抜け出ないように前記パワーローラ、前記変位軸および前記トラニオンを一体化して保持する治具本体と、当該治具本体の前記駆動ロッドへの係合状態を保持する治具固定部と、を備えている。
【手続補正４】
【補正対象書類名】明細書
【補正対象項目名】００１８
【補正方法】変更
【補正の内容】
【００１８】
また、請求項３記載の発明は、請求項２記載のトロイダル型無段変速機ユニットの組み立て治具において、前記治具本体は、長辺部及び短辺部が互いに直交して略Ｌ字形状をなし、前記短辺部に係合孔が形成されており、この係合孔に前記駆動ロッドが貫通して係合したときに、前記長辺部が前記パワーローラの端面に当接し、前記支持軸部が支持孔から抜け出ないように前記パワーローラ、前記変位軸および前記トラニオンを一体化して保持するようにしている。
【手続補正５】
【補正対象書類名】明細書
【補正対象項目名】００２０
【補正方法】変更
【補正の内容】
【００２０】
また、請求項５記載の発明は、請求項２記載のトロイダル型無段変速機ユニットの組み立て治具において、前記治具本体は、長辺部及び短辺部が互いに直交して略Ｌ字形状をなし、前記短辺部に係合孔が形成されており、この係合孔に前記駆動ロッドが貫通して係合したときに、前記長辺部が前記変位軸の端面に当接し、前記支持軸部が支持孔から抜け出ないように前記パワーローラ、前記変位軸および前記トラニオンを一体化して保持するようにした。
また、請求項６記載の発明は、請求項２記載のトロイダル型無段変速機ユニットの組み立て治具において、前記治具本体は、長辺部及び短辺部が互いに直交して略Ｌ字形状をなす金属板であり、前記短辺部に係合孔が形成されており、この係合孔に前記駆動ロッドが貫通して係合したときに、前記長辺部が前記パワーローラの端面に弾性変形しながら当接し、該長辺部の弾性復元力によって前記支持軸部が支持孔から抜け出ないように前記パワーローラを前記トラニオン側に押圧するようにした。
【手続補正６】
【補正対象書類名】明細書
【補正対象項目名】００２１
【補正方法】変更
【補正の内容】
【００２１】
また、請求項７記載の発明は、請求項２記載のトロイダル型無段変速機ユニットの組み立て治具において、前記治具本体は、長辺部及び短辺部が互いに直交して略Ｌ字形状をなす金属板であり、前記短辺部に係合孔が形成されており、この係合孔に前記駆動ロッドが貫通して係合したときに、前記長辺部が前記変位軸の端面に弾性変形しながら当接し、該長辺部の弾性復元力によって前記支持軸部が支持孔から抜け出ないように前記変位軸を前記トラニオン側に押圧するようにした。
さらに、請求項８記載の発明は、請求項３乃至７の何れかに記載のトロイダル型無段変速機ユニットの組み立て治具において、前記治具本体の長辺部を、前記パワーローラを挟持する入力側ディスク及び出力側ディスクの間の隙間に入り込むことが可能な薄肉形状とした。
【手続補正７】
【補正対象書類名】明細書
【補正対象項目名】００２４
【補正方法】変更
【補正の内容】
【００２４】
本実施形態の治具５０は、長辺部５２及び短辺部５４が互いに直交して略Ｌ字形状をなしている治具本体５６と、この治具本体５６の短辺部５４に当接される筒形状の治具固定部５８とで構成した合成樹脂からなる部材である。
治具本体５６の短辺部５４には係合孔５４ａが形成されており、この係合孔５４ａに、枢軸５に嵌入固定されている駆動ロッド３６の基端部が貫通して係合されている。この駆動ロッド３６の基端部を貫通孔５４ａに貫通させたときに、治具本体５６の長辺部５２の内壁５２ａが、枢支軸部２２に直交するパワーローラ８の端面に当接するようになっている。
【手続補正８】
【補正対象書類名】明細書
【補正対象項目名】００２５
【補正方法】変更
【補正の内容】
【００２５】
また、図２に示すように、治具本体５６の長辺部５２は、トロイダル型無段変速機のユニットに組み込む際に、入力側ディスク２及び出力ディスク４との間に接触せずに入り込むことが可能な形状となっている。そして、治具本体５６の長辺部５２の内壁５２ａには、パワーローラ８の端面から突出している枢支軸部２２の端部が接触しないように、枢支軸部２２の端部に対向している位置から長辺部５２の先端に至るまで溝形状の逃げ部５２ｂが形成されている。
治具固定部５８は、駆動ロッド３６の全体を覆う有底筒状の部材であり、その底部５８ａに、駆動ロッド３６の先端部に設けたねじ部３６ａが螺合するねじ部５８ｂが形成されている。
【手続補正９】
【補正対象書類名】明細書
【補正対象項目名】００３５
【補正方法】変更
【補正の内容】
【００３５】
次に、図４及び図５に示すものは、第３実施形態の治具７０を示す軸方向の断面図である。本実施形態の治具７０は、長辺部７２及び短辺部７４が互いに直交して略Ｌ字形状をなしている治具本体７６と、この治具本体７６の短辺部７４に当接される筒形状の治具固定部７８とで構成された金属部材である。
【手続補正１０】
【補正対象書類名】明細書
【補正対象項目名】００４４
【補正方法】変更
【補正の内容】
【００４４】
次に、図６は、第４実施形態の治具８０を示す軸方向の断面図である。本実施形態の治具８０は、長辺部８２及び短辺部８４が互いに直交して略Ｌ字形状をなしている治具本体８６と、この治具本体８６の短辺部８４に当接される筒形状の治具固定部８８とで構成した金属部材である。
【手続補正１１】
【補正対象書類名】明細書
【補正対象項目名】００４９
【補正方法】変更
【補正の内容】
【００４９】
また、本実施形態の治具９０は、長辺部９２及び短辺部９４が互いに直交して略Ｌ字形状をなしている治具本体９６と、この治具本体９６の短辺部９４に当接される筒形状の治具固定部９８とで構成した合成樹脂からなる部材である。治具本体９６の短辺部９４には貫通孔９４ａが形成されており、この貫通孔９４ａに、駆動ロッド３６の基端部が貫通している。この貫通孔９４ａに駆動ロッド３６の基端部が貫通したときに、治具本体９６の長辺部９２の内壁９２ａが、パワーローラ８の端面に当接するようになっている。
【手続補正１２】
【補正対象書類名】明細書
【補正対象項目名】００６１
【補正方法】変更
【補正の内容】
【００６１】
【発明の効果】
以上説明したように、請求項１、２、３、４、５、６、７、８記載の発明によれば、トラニオンを水平方向に向け、且つパワーローラを下方に向けても支持軸部が支持孔から抜け出ないので、この状態でパワーローラを入力側ディスク及び出力ディスクに接触する位置まで移動しても、作業者によるパワーローラの保持動作が全く不要となる。したがって、トロイダル型無段変速機のユニットを効率的に組み込むことができる。また、本発明の治具を使用してトラニオン及びパワーローラを一体化した状態で運搬しても、パワーローラがトラニオンから脱落してしまうおそれがない。
【手続補正１３】
【補正対象書類名】明細書
【補正対象項目名】００６２
【補正方法】変更
【補正の内容】
【００６２】
また、請求項４、８記載の発明によれば、さらにユニットの組み込み作業の効率化を図ることができる。
【手続補正１４】
【補正対象書類名】明細書
【補正対象項目名】００６３
【補正方法】変更
【補正の内容】
【００６３】
さらに、請求項６、７記載の発明によれば、パワーローラの端面に弾性変形しながら当接して弾性復元力が発生するという簡便な構造の長辺部によって確実に支持軸部が支持孔から抜け出るのを防止することができる。